(57)【要約】【課題】装着可能な電気機器の機能が制限されることなく、電気機器の機能を十分に発揮させることができる照明装置を提供する。【解決手段】照明装置10は、照明器具20、および電気機器21を備える。照明器具20は、引掛シーリングボディ12に支持される器具本体24、器具本体24の下面側に配置する光源30、器具本体24の下面側に設けられ光源30の光を放出する光放出面部36、および光放出面部36側に設けた電気機器装着部27を有する。電気機器21は、照明器具20の電気機器装着部27に着脱可能に装着する。【選択図】図１
2016004666.tif 000002
【特許請求の範囲】
【請求項１】
引掛シーリングボディに支持される器具本体、この器具本体の下面側に配置される光源、前記器具本体の下面側に設けられ前記光源の光を放出する光放出面部、およびこの光放出面部側に設けられた電気機器装着部を有する照明器具と；
前記照明器具の前記電気機器装着部に着脱可能に装着される電気機器と；
を具備することを特徴とする照明装置。
【請求項２】
前記電気機器装着部は、前記光放出面部側に開口され、前記電気機器を収容する
ことを特徴とする請求項１記載の照明装置。
【請求項３】
前記引掛シーリングボディに取り付けられるとともに電気的に接続され、前記器具本体を支持するアダプタを具備し、
前記電気機器は、前記アダプタに取り付けられるとともに電気的に接続される
ことを特徴とする請求項１または２記載の照明装置。
【発明の詳細な説明】
【技術分野】
【０００１】
本発明の実施形態は、引掛シーリングボディに取り付ける照明装置に関する。
【背景技術】
【０００２】
従来、天井面に設置されている引掛シーリングボディに取り付ける照明器具がある。
【０００３】
また、照明器具とともに例えばスピーカ等の他の機能を有する電気機器を一緒に設置するようにした照明装置がある。
【０００４】
例えば、引掛シーリングボディの周囲の天井面にスピーカユニットを取り付け、引掛シーリングボディにアダプタを介して照明器具を取り付けるようにした照明装置がある。あるいは、引掛シーリングボディにスピーカユニットを取り付け、スピーカユニットに照明器具を取り付けるようにした照明装置がある。
【０００５】
いずれの照明装置の場合にも、電気機器は天井と照明器具との間に配置されている。そして、床面側から見れば、照明器具で電気機器が隠れる位置に配置されることになる。そのため、電気機器の機能が例えばスピーカ等に限られたり、電気機器の機能が例えばスピーカである場合には音質に影響が生じる虞がある。
【０００６】
このように、電気機器を天井と照明器具との間に配置するため、配置可能な電気機器の機能が制限されたり、電気機器の機能を十分に発揮できない場合がある。
【先行技術文献】
【特許文献】
【０００７】
【特許文献１】特開平１１−２２５３８５号公報
【発明の概要】
【発明が解決しようとする課題】
【０００８】
本発明が解決しようとする課題は、装着可能な電気機器の機能が制限されることなく、電気機器の機能を十分に発揮させることができる照明装置を提供することである。
【課題を解決するための手段】
【０００９】
実施形態の照明装置は、照明器具、および電気機器を備える。照明器具は、引掛シーリングボディに支持される器具本体、器具本体の下面側に配置する光源、器具本体の下面側に設けられ光源の光を放出する光放出面部、および光放出面部側に設けた電気機器装着部を有する。電気機器は、照明器具の電気機器装着部に着脱可能に装着する。
【発明の効果】
【００１０】
本発明によれば、装着可能な電気機器の機能が制限されることなく、電気機器の機能を十分に発揮させることが期待できる。
【図面の簡単な説明】
【００１１】
【図１】第１の実施形態を示す照明装置の断面図である。
【図２】同上照明装置の分解状態の断面図である。
【図３】同上照明装置の電気機器を示し、(a)は電気機器としてスピーカを組み込んだ照明装置の底面図、(b)は電気機器としてスポットライトを組み込んだ底面図、(c)は電気機器としてイオン発生器を組み込んだ底面図である。
【図４】第２の実施形態を示す照明装置の分解状態の断面図である。
【図５】第３の実施形態を示す照明装置の分解状態の断面図である。
【図６】第４の実施形態を示す照明装置の断面図である。
【発明を実施するための形態】
【００１２】
以下、第１の実施形態を、図１ないし図３を参照して説明する。
【００１３】
図１および図２に示すように、照明装置10は、天井面11に設置されている引掛シーリングボディ12に取り付けられる。
【００１４】
引掛シーリングボディ12への照明装置10の取り付けにはアダプタ13が用いられている。アダプタ13は、円筒状で、側面から複数の爪14が突設されている。アダプタ13の上面には、引掛シーリングボディ12に引っ掛けられて機械的に固定されるとともに電気的に接続される一対の端子15が突出されている。アダプタ13の下面には、一対の端子15と同様の一対の端子が差し込まれ、その一対の端子を機械的に固定するとともに電気的に接続する接続部16が形成されている。さらに、アダプタ13からは一対の端子15に電気的に接続されている給電用のコネクタ付コードが導出されている。
【００１５】
そして、図１ないし図３に示すように、照明装置10は、照明器具20、およびこの照明器具20に着脱可能に装着される電気機器21を備えている。
【００１６】
照明器具20は、例えば丸形のシーリングライトである。照明器具20は、円盤状の器具本体24を備えている。
【００１７】
器具本体24の上面側には上面カバー25が取り付けられ、これら器具本体24および上面カバー25の中央が開口されていてその開口部分にアダプタガイド26が取り付けられている。アダプタガイド26は、上下方向に貫通する円筒状に形成され、アダプタ13が挿通し、アダプタ13の爪14によってアダプタ13に対して着脱可能に取り付けられる。
【００１８】
器具本体24の下面側の中央に電気機器装着部27が設けられている。電気機器装着部27は、器具本体24の下面に取り付けられた円筒状の枠体28を有している。枠体28の上面側はアダプタガイド26の下部開口に連通され、枠体28の下面側は下方に開口されている。枠体28の内側に電気機器21を収容する円筒状の収容空間29が形成されている。
【００１９】
また、器具本体24の下面側の周辺部であって、電気機器装着部27よりも外径側に、光源30、およびこの光源30を覆うセード31が配置されている。
【００２０】
光源30は、器具本体24の下面側の周辺部に周方向に沿って環状に配置されている。光源30は、発光モジュール32を備えている。発光モジュール32は、複数の発光素子33、および複数の発光素子33を実装する基板34を備えている。発光素子33は例えばＬＥＤを搭載した面実装タイプのＳＭＤパッケージが用いられている。なお、発光素子33は、ＬＥＤの他、例えばＥＬ素子等でもよい。また、器具本体24に取り付けられた発光モジュール32は、絶縁性を有する透明な保護カバー35によって覆われている。
【００２１】
セード31は、透光性および拡散性を有している。セード31は、例えば乳白色の樹脂製品である。セード31の中央には、電気機器装着部27の周囲に嵌り込む開口部31aが形成されている。したがって、セード31は、中央に開口部31aを有する環状に形成されている。また、セード31は、器具本体24の周辺部に配設されている複数のセード取付部材によって器具本体24に着脱可能に取り付けられている。そして、セード31は、器具本体24の下面側に設けられ光源30の光を放出する光放出面部36として形成されている。そのため、この光放出面部36側に電気機器装着部27が設けられていることになる。
【００２２】
また、上面カバー25の内側には、電源回路37が配置されている。電源回路37の電源入力側にアダプタ13のコネクタ付コードが電気的に接続される。そして、電源回路37は、アダプタ13および引掛シーリングボディ12を介して入力される交流電力を所定の直流電力に変換し、変換した直流電力を光源30（発光素子33）に供給する。
【００２３】
また、電気機器21は、電気機器装着部27に着脱可能に装着される。電気機器21は、電気機器本体40、およびこの電気機器本体40を収容する筐体41を備えている。筐体41の上面には、アダプタ13の接続部16に機械的に着脱可能とするとともに装着状態で電気的に接続される一対の端子42が突出されている。
【００２４】
電気機器21（電気機器本体40）としては、図３(a)に示すスピーカ43、図３(b)に示すスポットライト44、および図３(c)に示すイオン発生器45等が含まれる。なお、電気機器21は、スピーカ43、スポットライト44およびイオン発生器45以外に、例えばカメラやプロジェクタ等、電気を使用して動作するものであればいずれでも構わない。また、これら電気機器21は、必要に応じて、電波や赤外線等の無線による通信手段を備えている。
【００２５】
筐体41は、電気機器装着部27の収容空間29に収容可能とする円筒状に形成されている。電気機器装着部27に電気機器21が装着された状態では、筐体41の下面はセード31と面一となるように形成されている。さらに、筐体41の下面は、セード31の下面の曲面に連続した曲面状に形成してもよいし、平面状でもよい。
【００２６】
電気機器21は、スピーカ43、スポットライト44およびイオン発生器45等のいずれの場合にも、筐体41および端子42が共通構造を有するため、電気機器装着部27に装着でき、交換可能となっている。
【００２７】
電気機器21は、一対の端子42を通じてアダプタ13および引掛シーリングボディ12を通じて交流電力が供給され、この交流電力を所定の電力に変換して動作する。
【００２８】
次に、本実施形態の作用を説明する。
【００２９】
照明装置10を設置するには、まず、引掛シーリングボディ12にアダプタ13を装着する。
【００３０】
続いて、電気機器21を外した状態の照明器具20のアダプタガイド26をアダプタ13に取り付け、アダプタ13から導出されているコネクタ付コードを電源回路37に接続する。コネクタ付コードの接続作業は、電気機器装着部27を通じて行うことができる。コネクタ付コードの接続により、引掛シーリングボディ12からアダプタ13を介して電源回路37に電力の供給が可能となる。
【００３１】
続いて、電気機器21を電気機器装着部27に挿入し、一対の端子42をアダプタ13の接続部16に装着する。これにより、引掛シーリングボディ12からアダプタ13を介して電気機器21に電力の供給が可能となる。
【００３２】
そして、電源回路37に交流電力が供給されると、電源回路37によって変換した直流電力が複数の発光素子33に供給され、複数の発光素子33が発光する。複数の発光素子33からの光は、セード31（光放出面部36）を透過して照明空間に照射される。
【００３３】
また、電気機器21がスピーカ43の場合、例えば携帯端末等から無線で送信される音データを通信手段で受信し、スピーカから音を鳴らす。この場合、スピーカ43が光放出面部36側に設けられているため、すなわち、スピーカ43が照明器具20の下面側に設けられているため、照明装置10の下方にいる人に対してダイレクトに音が伝わりやすく、音質を向上できる。
【００３４】
電気機器21がスポットライト44の場合には、例えば携帯端末等から無線で送信される信号、あるいは照明器具20の共通のリモコンで送信される信号を受信手段で受信し、スポットライト44を点灯、消灯、および調光する。この場合、スポットライト44が光放出面部36側に設けられているため、スポットライト44からの光を下方へ照射することができる。なお、従来のように、電気機器を天井と照明器具との間に配置する構造では、スポットライトを配置することができず、電気機器の機能が限られるが、本実施形態のように、電気機器21を光放出面部36側に配置できれば、電気機器21の機能が限られることがない。
【００３５】
電気機器21がイオン発生器45の場合には、例えば携帯端末等から無線で送信される信号、あるいは照明器具20の共通のリモコンで送信される信号を受信手段で受信し、イオン発生をオン、オフする。この場合、イオン発生器45が光放出面部36側に設けられているため、イオン発生器45が発生するイオンが室内に広がりやすく、イオン効果を高めることができる。
【００３６】
このように、本実施形態の照明装置10によれば、装着可能な電気機器21の機能が制限されることなく、電気機器21の機能を十分に発揮させることができる。
【００３７】
しかも、電気機器21は電気機器装着部27に着脱可能であるため、電気機器21の機能の変更に容易に対応できる。
【００３８】
また、電気機器装着部27は、光放出面部36側に開口され、電気機器21を収容するため、照明器具20の意匠性を損なうことなく、電気機器21を配置することができる。
【００３９】
また、電気機器21は、アダプタ13に取り付けて電気的に接続するため、電気機器21の取付構造および給電構造を簡単にできる。
【００４０】
なお、光放出面部36は、セード31に限らず、開口面でもよい。
【００４１】
次に、図４に第２の実施形態を示す。なお、第１の実施形態と同じ構成には同じ符号を用い、その構成および作用効果の説明を省略する。
【００４２】
電気機器21は、照明器具20に取り付けて電気的に接続するようにしてもよい。この場合、電気機器装着部27の上面に一対の接続部50を設け、電気機器21の上面に一対の接続部50に機械的に着脱可能とするとともに装着状態で電気的に接続される一対の端子42が突出すればよい。
【００４３】
なお、電気機器装着部27の側面と電気機器21の側面との間で機械的および電気的な接続を図るようにしてもよい。
【００４４】
次に、図５に第３の実施形態を示す。なお、第１の実施形態と同じ構成には同じ符号を用い、その構成および作用効果の説明を省略する。
【００４５】
電気機器21の上面に円筒状の突出部53を突設し、この突出部53の上面に引掛シーリングボディ12に装着される一対の端子42を設ける。この場合、電気機器21からで照明器具20に電力を給電できるように構成する。
【００４６】
そして、電気機器21を照明器具20の電気機器装着部27に装着し、突出部53の一対の端子42を引掛シーリングボディ12に装着する。これにより、電気機器21で照明器具20を支えるとともに、電気機器21から照明器具20に電力を供給する。
【００４７】
この構造では、アダプタ13を省略でき、構成を簡略化することができる。
【００４８】
次に、図６に第４の実施形態を示す。なお、第１の実施形態と同じ構成には同じ符号を用い、その構成および作用効果の説明を省略する。
【００４９】
導光板56を用いた照明器具20である。導光板56は、例えばアクリル樹脂等の光透過率の高い材料によって形成されている。導光板56は、中央に開口部57を有する環状に形成されている。導光板56は、開口部57に電気機器装着部27が挿通された状態で器具本体24に保持されている。
【００５０】
導光板56の内周面に対向して発光素子33が配置されている。
【００５１】
そして、発光素子33の光が導光板56の内周面から導光板56内に入射し、導光板56内を光が反射しながら導光板56の全域に広がり、導光板56の下面から光が出射する。この場合、導光板56が光放出面部36として構成されている。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
10    照明装置
12    引掛シーリングボディ
13    アダプタ
20    照明器具
21    電気機器
24    器具本体
27    電気機器装着部
30    光源
36    光放出面部
【図１】
2016004666.tif 000003
【図２】
2016004666.tif 000004
【図３】
2016004666.tif 000005
【図４】
2016004666.tif 000006
【図５】
2016004666.tif 000007
【図６】
2016004666.tif 000008